Podtech/llm-jp-corpus-v4-ja_patent huggingface dataset:
(57)【要約】      （修正有）【課題】芝生保護あるいは土壌保全のために使用される土木資材であって、施工場所によって切断し寸法を調整できる土木資材を提供する。【解決手段】土木資材１は、基礎踏み圧部５と基礎透水部６からなり、基礎踏み圧部５は互いに連結され上からの踏み圧を支え、基礎透水部６は基礎踏み圧部５に囲まれた領域であって、基礎透水部６は土壌を充填させあるいは芝生が育つ育成場所であるとともに雨水が基盤に浸透する場所であり、基礎踏み圧部５は上方に突出し、下端が開放された戴錐形状の筒部で、基礎踏み圧部５を連結する連結部２は板状で、当連結部２にはその長手方向の中心線に沿って孔部と、当該孔部に挿入可能な突状部が対となり、かつ該連結部２の中心で孔部と突状部の配列が反転するよう配列され、基盤上に敷き設する際寸法形状の合わない場合には連結部２を切断し残部の孔部と突状部を重ね合わせて寸法を調節可能とした。【選択図】図１
2010121399.tif 000002
【特許請求の範囲】
【請求項１】
基盤上に敷設される植物あるいは土壌の保護を目的とする土木資材において、当該土木資材は基礎踏み圧部と基礎透水部からなり、基礎踏み圧部は互いに連結され上からの踏み圧を支え、基礎透水部は基礎踏み圧部に囲まれた領域であって、基礎透水部は土壌を充填させあるいは芝生が育つ育成場所であるとともに雨水が基盤に浸透する場所であり、基礎踏み圧部は上方に突出し、下端が開放された戴錐形状の筒部で、基礎踏み圧部を連結する連結部は板状で、当該連結部にはその長手方向の中心線に沿って孔部と、当該孔部に挿入可能な突状部が対となり、かつ連結部の中心で孔部と突状部の配列が反転するよう配列され、基盤上に敷き設する際寸法形状の合わない場合連結部を切断し残部の孔部と突状部を重ね合わせて寸法を調節可能とした土木資材。
【発明の詳細な説明】
【技術分野】
【０００１】
本発明は、場所の形状に併せて寸法を調節可能とする施工性を向上させた土木資材の技術に属する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立入る人の、あるいは車の踏圧から植物を保護するため踏圧部と透孔部からなる図６に示すような芝生保護材（特開平2-145137、特開平4-75541）が各種提案され使用されている。
さらに傾斜壁面などの緑化などにもこれらの芝生保護材が土壌保護、芝生保護などの目的のため使用されている。
決められた場所で必ずしも芝生保護材の整数倍の距離に敷き設するとは限らないため、一部上記芝生保護材を切断して使用することがあった。切断しても形状の変化を感じさせない新しい芝生保護材が求められている。
【０００３】
【特許文献１】特開平2-145137
【特許文献２】特開平4-75541
【発明の開示】
【発明が解決しようとする課題】
【０００４】
本発明は、芝生保護あるいは土壌保全のために使用される土木資材で施工場所によって切断し寸法を調整できる土木資材の提案である。
【課題を解決するための手段】
【０００５】
本発明は、基盤上に敷設される植物あるいは土壌の保護を目的とする土木資材において、当該土木資材は基礎踏み圧部と基礎透水部からなり、基礎踏み圧部は互いに連結され上からの踏み圧を支え、基礎透水部は基礎踏み圧部に囲まれた領域であって、基礎透水部は土壌を充填させあるいは芝生が育つ育成場所であるとともに雨水が基盤に浸透する場所であり、基礎踏み圧部は上方に突出し、下端が開放された戴錐形状の筒部で、基礎踏み圧部を連結する連結部は板状で、当該連結部にはその長手方向の中心線に沿って孔部と、当該孔部に挿入可能な突状部が対となり、かつ連結部の中心で孔部と突状部の配列が反転するよう配列され、基盤上に敷き設する際寸法形状の合わない場合連結部を切断し残部の孔部と突状部を重ね合わせて寸法を調節可能とした土木資材である。基礎踏み圧部を連結する連結部を切断し再度連結して寸法を調節できるよう、連結部に複数の孔部と突状部を対として並べ、所用の長さとなる孔部と突状部を重ね合わさることができるようにした。
【発明の効果】
【０００６】
本発明は、連結部に複数の孔部と突状部を対になるように並べ、中心で点対象となるようにしたため、連結部を切断することで、連結部をスライドするように移動させ対応する孔部と突状部を重ねられるようにした。そのため連結部の長さを調節することが可能となる。
【発明を実施するための最良の形態】
【０００７】
以下本発明を図により詳細に説明する。
図１は、本発明を構成する土木資材の平面、断面を示す概念図であり継ぎ手部分は表示していない。
図２は２個の基礎踏み圧部とその間を連結する連結部を取り出した斜視図である。
図に示すように本土木資材はは戴円錐形の基礎踏み圧部を連結した構造を有し、基礎踏み圧部で囲まれた領域が基礎透水部を形成している。
基礎踏み圧部を連結する連結部は板状で孔部とその孔部に挿入可能とされた突状部が対となるように並んでいる。さらに連結部の中心で前記孔部と突状部が逆となるように並んでいる。連結板の中心で点対称となるような並び方となる。
【０００８】
図３は、本土木資材を直線部分A-A’で切り離し、2対の孔部と突状部をずらして再連結した状態を示している。図3ａは切断箇所を示し、図３ｂは最連結した状態を示している。
図に示すように、孔部と突状部が対となって並んでいるため、図に示したような連結部の長さを縮めることが可能となる。
【０００９】
図４は本土木資材を配列した状態を示す概念図である。
図４は、その長さを調節することなく配列した状態を示す概念図である。
図５は、その長さを調節して配列した状態を示す概念図である。
両者の違いを明確にするため図４の配列した範囲を直線で囲っている。
図５では図４の配列した範囲をそのまま示しており、両者を比べることで本土木資材を使用することにより、敷き設する場所に一杯に配列することが可能となることがわかる。
【００１０】
本芝生保護材の材質は、射出成形可能なポリオレフィンなどで製造されることは従来の芝生保護資材などと同様である。また基礎踏み圧部の形状、透水部の形状など適宜変更可能なことも同様である。
【図面の簡単な説明】
【００１１】
【図１】本発明である土木資材を示す概念図である。
【図２】本土木資材の連結部を示す斜視図である。
【図３】本土木資材を切断し連結部の長さを縮める方法の概念図である。
【図４】従来の土木資材（芝生保護材）を敷き設した状態を示す概念図である。
【図５】本土木資材を敷き設した状態を示す概念図である。
【図６】従来の植物保護材の例を示す概念図である。
【符号の説明】
【００１２】
１  土木資材
２  連結部
３  孔部
４  突状部
５  基礎踏み圧部
６  透水部
【図１】
2010121399.tif 000003
【図２】
2010121399.tif 000004
【図３】
2010121399.tif 000005
【図４】
2010121399.tif 000006
【図５】
2010121399.tif 000007
【図６】
2010121399.tif 000008
(57)【要約】【課題】「オレオレ詐欺」等の被害発生を軽減するための方策を提供する。【解決手段】金庫を開けるための操作を行っても予め設定している一定時間後、或いは複数の人の協力が無ければ金庫が開けられないようにし、その中に日常生活用以外の預金通帳、キャッシュカード等を入れておくことにより「オレオレ詐欺」の電話等があった場合にも電話を受けた人がひとりで直ぐに金庫を開けることができず、したがって相手の指示に従い直ぐに振り込むことができないようにする。  このような手段を講ずることにより、直ぐに振り込みをさせようとする「オレオレ詐欺」の犯人の手順を狂わせることができ、また実際に振り込みを行うまでの時間的余裕を確保し、冷静な判断が出来るようにする。【選択図】図１
2010121310.tif 000002
【特許請求の範囲】
【請求項１】
金庫本体（１）に設けられている金庫開閉部（２）を操作しても、タイマー（３）の働きにより、一定時間を経過しなければ金庫本体を開け内容物を取り出すことができないようにしたことを特徴とするオレオレ詐欺対策用の金庫。
【請求項２】
金庫開閉部に、複数の鍵または複数のダイヤルキー、或いは鍵とダイヤルキーの組み合わせを設け鍵またはダイヤルキーの働きとタイマーの働きとの間に優先順位をつけたことを特徴とする請求項１記載のオレオレ詐欺対策用の金庫。
【発明の詳細な説明】
【技術分野】
【０００１】
本発明は、オレオレ詐欺の被害を軽減するための金庫に関するものである。
【背景技術】
【０００２】
最近「オレオレ詐欺」、「振り込め詐欺」等の名称で呼ばれている詐欺事件が多発している。これらの詐欺事件に対しては、ATMコーナーの監視などいろいろな対策が取られているが、なかなか軽減せず、その被害額は相当な規模に拡大している。
【０００３】
しかし、実際に詐欺事件が発生した状況を見ると、殆どが電話や訪問を受けた時点で相手を信じ込み、詐欺とは思わず相手の指示に従って直ぐに一人の判断で振り込み等を行い詐欺事件に巻き込まれている場合が多い。
また、日ごろ自分はこのような詐欺事件に巻き込まれるはずがないと思っている人でさえ実際の場面では詐欺の被害に遭っているというのが実情である。
また、その手口に共通する方法は、ゆっくりとした判断の時間を与えず、直ぐに銀行振り込み等を行わせることであり、そのため周囲の人と相談するとか、関係者（子供、孫等）に確認することなどを行わずに被害に遭っているのが実情である。
【発明の開示】
【発明が解決しようとする課題】
【０００４】
手法が多様化する「オレオレ詐欺」、「振り込め詐欺」等に、現在、決定的な対策方法がないことである。
【課題を解決するための手段】
【０００５】
「オレオレ詐欺」等の被害に遭い難くするため、本発明の金庫は開けるための操作を行っても直ぐに金庫を開けることが出来ず、予め設定した一定時間が経過するか或いは複数の人の協力が無ければ金庫を開けることが出来ないようにしてある。
【発明の効果】
【０００６】
詐欺の被害を軽減するためには、まず自分も必ず詐欺の被害に遭うに違いないという考えをもち、予め冷静な判断ができる時点でその対策を講じておくことが必要である。
その対策として、本発明の金庫に日常生活用を除く預金通帳、キャッシュカードなどを入れておくことにより、「オレオレ詐欺」等の電話を受けた本人としては、直ぐにでも振り込みしたいと思っても予め設定した時間後或いは複数の人の協力が無ければ金庫を開けることが出来ず相手の指示通りに直ぐに振り込みをすることが不可能になる。
【０００７】
従って電話をかけてきた「オレオレ詐欺」等の犯人は、予定通りにことを運ぶことが出来ずその時点で詐欺をあきらめてしまう可能性があり、また、金庫が開いてから振り込むようにとの指示があった場合でも金庫が開くまでの時間的余裕が確保されるため、その間に多少は冷静な判断が出来るようになり、他の人に相談するとか、関係者（子供、孫等）に一応電話で確認しょうかという考えが浮かぶ可能性が大きい。
また、詐欺事件ではなく本当に振り込みが必要な場合には、事情を話せば予め設定してある金庫が開くまでの時間くらいは振込みを待ってくれるものと思われる。
【発明を実施するための最良の形態】
【０００８】
盗難対策の面からは、どこにでも隠しておけるように、預金通帳、キャッシュカードが入れられる範囲で必要最低限の大きさにすることが望ましい。
また、金庫を開けるための操作をしてから実際に金庫が開けられるまでの時間は使用者の好みに合わせて変更できるようにしておくことが望ましい。しかし、その時間設定部は金庫本体内部に設けておくことが必要である。
【実施例１】
【０００９】
請求項１に記載している金庫の開閉に関しては、その具体的な方法として、鍵を開けることによりタイマーが起動し、予め設定されている時間後に実際に金庫が開くようにしてもよいし、また、何らかの操作によりタイマーを起動したあと一定時間後に鍵の操作ができるようにする方法などがある。
【００１０】
また、請求項２に記載した金庫の場合には、複数の鍵またはダイヤルキーなどを複数のひとで別々に管理することにより、電話を受けた人がひとりで金庫を開けることが出来ず、鍵を管理している他の人の協力が無ければ振込ができなくなる。
また、この請求項２の金庫の場合は、鍵、ダイヤルキーの働きをタイマーの働きよりも優先させることにより万一タイマー機構にトラブルが発生した場合の非常用として活用することもできる。つまり二つ目の鍵を別の地域に住んでいる親戚や子供に保管してもらい、通常は一個の鍵とタイマーの働きで金庫を開けるようにし、万一トラブルが発生した場合の非常用として二個目の鍵を使うことができる。
【産業上の利用可能性】
【００１１】
「オレオレ詐欺」等の被害の拡大に対し、その被害を食い止めるための対策もいろいろ講じられているが、つぎつぎとその対策を潜り抜けるための手法が編み出されるため決定的、恒久的な対策を行うのは困難になりつつある。
そのような状況において、被害を受けそうな本人がたとえ直ぐに振り込みがしたくても事実上、振り込みができないような状況を作ってしまうことは、オレオレ詐欺の対策として新たな方策であり、本発明のオレオレ詐欺対策金庫は産業上利用できる可能性が高い。
【図面の簡単な説明】
【００１２】
【図１】オレオレ詐欺対策用金庫の構成図
【符号の説明】
【００１３】
１    金庫本体
２    開閉操作部
３    タイマー
【図１】
2010121310.tif 000003
(57)【要約】      （修正有）【課題】小さい入力エネルギーでより大きい出力エネルギーを得る。【解決手段】エアーコンプレッサーで圧縮空気をためてエアーバルブよりエアーシリンダーにエアーを送り、エアーシリンダーロッドを伸縮します。このそうさをくりかえすことにより支柱が左右に動きウエイトバランス台が角度（重心の移動）によりさらに大きく支柱が左右に動きます。このウエイトバランス台の角度（重心の移動）が永久発電機の特長です。支柱の動く角度が２７０度ぐらいの時が永久発電機の条件が良い時です。【選択図】図１
2010121611.tif 000002
【特許請求の範囲】
小さい入力エネルギーでより大きい出力エネルギーを得るための永久発電機です。
風力発電機のように風がなくても電気機械式で動き発電機へエネルギーを送ります。次に発電機より電気をおこします。
【発明の詳細な説明】
【作用】
エアーコンプレッサーでエアタンクに圧縮空気をためて、エアバルブ▲６▼に電気を流してエアーシリンダー▲１２▼にエアを送ります。エアーシリンダーのロッド▲１１▼の伸縮によりアーム▲１０▼を左右に動かします。この動きをくりかえすことによりある程度支柱が動くとウエイトバランス台▲３１▼が角度をかえて支柱▲３３▼の動き角度が大きくなり最大２７０度ぐらいまで動きます。この動く力を発電機▲３２▼へと送り電気をおこします。
【図面の簡単な説明】
【図１】側面図  永久モーターが動くまえの状態
【図２】側面図  アームが左向きに動き加速状態
【図３】側面図  アームが右向きに動き加速状態
【図４】正面図  支柱の最大動き角度
【図５】側面図  各部の符号図
【符号の説明】
▲１▼足場
▲２▼永久発電機の台
▲３▼エアーコンプレッサー
▲４▼ビロー（ベアリング）
▲５▼ビロー（ベアリング）
▲６▼エアーバルブ
▲７▼永久発電機の軸
▲８▼エアーバルブ
▲９▼出力軸
▲１０▼アーム
▲１１▼エアーシリンダーのロッド
▲１２▼エアーシリンダー
▲１３▼エアーシリンダーホース
▲１４▼エアーシリンダーホース
▲１５▼エアーシリンダーの取付けピン
▲１６▼エアーシリンダーの取付けピン
▲１７▼可動ピン
▲１８▼アーム取り付けナット
▲１９▼可動ピン
▲２０▼タイロッドエンド取り付けアームのナット
▲２１▼タイロッド
▲２２▼タイロッド
▲２３▼タイロッドエンド
▲２４▼タイロッドエンド
▲２５▼タイロッドエンド取り付けアーム
▲２６▼タイロッドエンド
▲２７▼タイロッドエンド
▲２８▼ウエイト
▲２９▼ウエイト
▲３０▼ウエイトバランス台取り付けナット
▲３１▼ウエイトバランス台
▲３２▼発電機
▲３３▼支柱
【図１】
2010121611.tif 000003
【図２】
2010121611.tif 000004
【図３】
2010121611.tif 000005
【図４】
2010121611.tif 000006
【図５】
2010121611.tif 000007
(57)【要約】      （修正有）【課題】打ち上げ後の割薬の燃え滓を無くすことができ、安全で環境に好適な打ち上げ花火玉を提供する。【解決手段】打ち上げ花火玉の構成は、割薬３、星４、玉皮５からなる打ち上げ花火玉であって、割薬３は黒色火薬を染み込ませた綿の繊維を芯にして、芯に粉火薬を覆い固めたものである。完全燃焼が不可能だった綿実やもみがらではなく、完全燃焼する火工品を芯として使用することで割薬３が完全燃焼し、割薬３から発生する燃え滓を無くすことができる。これにより、燃え滓が地上に落下することがなく、安全で環境に好適な打ち上げ花火玉を提供することができる。【選択図】図１
2010121836.tif 000002
【特許請求の範囲】
【請求項１】
割薬、星、玉皮からなる打ち上げ花火玉であって、
前記割薬は、黒色火薬を染み込ませた綿の繊維を芯にして、前記芯に粉火薬を覆い固めたものであることを特徴とする打ち上げ花火玉。
【発明の詳細な説明】
【技術分野】
【０００１】
本発明は、花火打揚に用いられる打ち揚げ花火玉に関するものである。
【背景技術】
【０００２】
従来、紙からなる半球状の玉皮の内側に沿って星を配列し、星の内側に割薬を充填した２つの玉皮を合わせて１つの玉とし、１つの玉の周りに紙を何重にも重ねて貼り付けてなる打ち揚げ花火玉が用いられている。
【０００３】
割薬は花火玉を爆発、開花させる目的のものとして花火玉に充填されるもので、従来は綿実やもみがら等の素材を芯にし粉火薬を覆い固めたものを使用している（特許文献２）。
【特許文献２】特開２００２−２７７１９５号公報
【発明の開示】
【発明が解決しようとする課題】
【０００４】
このような割薬は、爆発した際、火薬部分のみが完全燃焼し、芯である綿実やもみがらなどの素材が完全燃焼せず、燃え滓が地上に落下する。地上に落下した燃え滓は環境に不適であり、場合によっては観衆の目に入るなどの人的被害が起こっていた。
【０００５】
そこで本発明は、打ち上げ後の割薬から発生する燃え滓を無くすことができ、安全で環境に好適な打ち上げ花火玉を提供することを目的とする。
【課題を解決するための手段】
【０００６】
上記課題を解決するために本発明に係る打ち揚げ花火玉の構成は、割薬、星、玉皮からなる打ち上げ花火玉であって、前記割薬は、黒色火薬を染み込ませた綿の繊維を芯にして、その芯に粉火薬を覆い固めたものであることを特徴とする。前記割薬は、完全燃焼する。
【発明の効果】
【０００７】
本発明によれば、完全燃焼が不可能だった綿実やもみがらではなく、完全燃焼する火工品を芯として使用することで割薬が完全燃焼し、割薬から発生する燃え滓を無くすことができる。これにより、燃え滓が地上に落下することがなく、安全で環境に好適な打ち上げ花火玉を提供することができる。
【発明を実施するための最良の形態】
【０００８】
本発明に係る打ち揚げ花火玉の実施形態について、図を用いて説明する。
【０００９】
（打ち揚げ花火玉１の構成）
図１は本実施形態に係る打ち揚げ花火玉１の構成図である。図１に示すように、打ち揚げ花火玉１は、導火線２、割薬３、星４、玉皮５を中心から順に球状に重ねてなる。
【００１０】
図１に示すように、導火線２は、打ち揚げ花火玉１の外側から内側の中央まで挿入されている。星４は、半球状の玉皮５の内側に沿って配列される。割薬３は、玉皮５の内側に配列された星４の内側に充填される。割薬３、星４が充填された２つの玉皮５を合わせて、打ち揚げ花火玉１とする。
【００１１】
このように形成された打ち揚げ花火玉１は、打ち揚げ時に、導火線２に着火した火が割薬３を爆発させ、星４を飛び散らせて、打ち揚げ花火を表現する。
【００１２】
図２に示すように、割薬３は、芯３ａに粉火薬３ｂを覆い固めたものである。芯３ａは、黒色火薬を染み込ませた綿の繊維である。芯３ａをこのような完全燃焼するものとしたことにより、割薬３が完全燃焼する。
【００１３】
芯３ａと粉火薬３ｂの容量割合を変えることで、爆発力を簡単に調整することができる。たとえば、打ち揚げ花火玉１を大きくし、芯としてもみがら、綿実等を大量使用した場合には、燃え滓が増えてしまうが、本実施形態では燃え滓が残らない。また、割薬３の形状を特殊な形状として、芯を用いない場合には、割薬３が多すぎる恐れがあり、爆発力の調整が難しい。
【００１４】
上述の如く、完全燃焼が不可能だった綿実やもみがらではなく、完全燃焼する火工品を芯３ａとして使用することで割薬３が完全燃焼し、割薬３から発生する燃え滓を無くすことができる。これにより、燃え滓が地上に落下することがなく、安全で環境に好適な打ち上げ花火玉を提供することができる。
【図面の簡単な説明】
【００１５】
【図１】本実施形態に係る打ち揚げ花火玉１の構成図である。
【図２】本実施形態に係る割薬の構成図である。
【符号の説明】
【００１６】
１          …打ち揚げ花火玉
２          …導火線
３          …割薬
３ａ          …芯
３ｂ          …粉火薬
４          …星
５          …玉皮
【図１】
2010121836.tif 000003
【図２】
2010121836.tif 000004
(57)【要約】      （修正有）【課題】警察官あるいは警備の要員が凶器による暴力事件の発生のあるいは発生の恐れのある初期通報を受けて出動する場合に防護盾を必要とし、逸早く駆けつけるためには自転車やオートバイ等の二輪車を利用する必要がある。比較的広い面積と重さを有する防護盾を、二輪車の運転を妨げることなく、容易に持ち運ぶための背負い袋を提供する。【解決手段】防護盾を入れる袋１１に、両腕を通し背負うための左右一対の背負い帯１２を設けることで、背負い帯１２に両腕を通し背負い、背負った防護盾入りの袋１１を背中に固定するためにベルト１３を設けることで、身体の胴体に縛り付け、背中に防護盾入りの袋１１を密着固定させた。これにより二輪車の運転の妨げを解消し、容易に防護盾を持ち運ぶことができる。【選択図】図１
2010121855.tif 000002
【特許請求の範囲】
【請求項１】
厚みが３〜２０ミリメートルで重さが１６キログラムより軽く、防護面の面積が２０００平方センチメートルより大きな面積を持つ合成樹脂製の防護盾を背負い帯とベルトを設けた袋に入れ、袋を背中に背負い容易に持運ぶことを可能とした布製の背負い袋。
【請求項２】
厚みが３〜２０ミリメートルで重さが１６キログラムより軽く、防護面の面積が２０００平方センチメートルより大きな面積を持つ合成樹脂製の防護盾を背負い帯とベルトを設けた袋に入れ、袋を背中に背負ことで、背後からの暴力の防護を可能とした防護盾入り布製の背負い袋。
【発明の詳細な説明】
【技術分野】
【０００１】
本発明は、防護盾を背中に背負うことで、自転車やオートバイ等の二輪車を運転して防護盾を容易に持運ぶことができる背負い袋に関するものである。
【０００２】
本発明は、防護盾を背中に背負うことで、背後からの暴力の防護を可能とした防護盾入り布製の背負い袋に関するものである。
【背景技術】
【０００３】
拳銃の発砲、刃物による突刺、鈍器による殴打、投石等の暴力事件が発生、あるいは発生の恐れがある初期通報を警察官あるいは警護の要員が受け、事件に対処するための防護盾を持って一刻も早く事件現場に駆けつける必要がある場合、機動性に富んだ自転車やオートバイ等の二輪車を利用するのが最適である。
【０００４】
従来から合成樹脂製の防護盾を保存のために袋に入れていることはあった。しかしながら、防護盾は比較的広い面積と重さを有しており、二輪車を運転しながら防護盾を手で持つことや、小脇に抱えることや、荷台に括り付けて持運ぶことは二輪車の運転の安定を欠き困難である。
【０００５】
また、防護盾は通常では手に持ち構え、前方からの暴力に対して防護するものであり、背後からの暴力に対しては無防備状態である。
【発明の開示】
【発明の効果】
【０００６】
以下詳述するように、請求項１ならび請求項２に記載の発明によれば、防護盾を背中に背負うことができ、両手を自由にさせ二輪車の運転を容易にならしめる。背負った防護盾は背後からの暴力の防護を可能ならしめる。
【発明が解決しようとする課題】
【０００７】
防護盾を背中に背負うことで、両手を自由にさせ二輪車の運転を容易にならしめる。背負った防護盾は背後からの暴力の防護を可能ならしめる。
【課題を解決するための手段】
【０００８】
防護盾２１を布製の袋１１に入れ、袋１１の口元を容易に開閉できる面ファスナー１５で閉め、両腕を通し背負うための左右一対の背負い帯を設け、防護盾２１入り袋１１を背負い、背負った防護盾２１入り袋１１を背中に固定するためにベルト１３を設けることで、身体の胴体に縛り付け、背中に防護盾２１入りの袋１１を密着固定させる背負い袋１１である。
【発明を実施するための最良の形態】
【０００９】
従来からの合成樹脂製の防護盾２１は、盾本体２１と内面に把持部２１ａを備えている。この把持部２１ａは折り畳み、把持部２１ａを低くすることができ、背負ったときに背中に強く圧迫することを避けた構造になっている。使用者は防護盾２１の把持部２１ａを手で握り、盾２１本体の前方外面から加わる拳銃の発砲、刃物による突刺、鈍器による殴打、投石等の暴力攻撃から身体を保護するようになっている。
【００１０】
以下、この発明の実施の形態を図面に基づいて詳細に説明する。図１に示す防護盾２１を布製の袋１１に入れ、袋１１の口を折りたたみ面ファスナー１５等で閉める。袋１１は背負い側の左右に背負い帯１２が設けてある。場合によっては、背負い帯１２には背負う人の体格に合わせて帯の長さを調整する調整具１２ａが付属されている。それぞれの背負い帯１２に腕を通し、防護盾２１入りの背負い袋１１を背負うことができる。
【００１１】
また、背負い袋１１の背負い側には左右一対のベルト１３が設けてある。場合によっては背負う人の体格に合わせてベルトの長さを調整する調整具１３ａが付属され、左右のベルト１３を結ぶ連結具１３ａが付属されている。ベルトにより身体の背中に背負い袋１１を縛り付け固定することができる。
【００１２】
背負い袋１１の背負い側に背当てクッション１４を施してあり、防護盾２１を背負った時に把持部２１ａが背中に強く圧迫するのを緩和することが可能である。
【００１３】
背負い帯１２を直接握り、取手の代用とすることで、防護盾２１を背負い袋１１から取り出すことなく、防護盾２１を使用することも可能である。
【００１４】
また、防護盾２１を入れた背負い袋１１を背負うことで、背後からの暴力の防護を可能にすることができる。
【００１５】
防護盾２１を保管する場合は背負い袋１１に設けた紐１６で背負い袋１１を壁などに掛けて保管することができる。
【図面の簡単な説明】
【００１６】
【図１】実施形態の防護盾を入れる背負い袋を背負い面側から見た状態を示す斜視図。
【図２】実施形態の防護盾と防護盾を背負い袋に入れる状態を示す図。
【図３】実施形態の背負い袋を背負った様子を示す図。
【図４】実施形態の背負い袋を背負い、二輪車を運転する様子を示す図。
【符号の説明】
【００１７】
１１    背負い袋
１２    背負い帯
１２ａ  背負い帯の長さ調整具
１３    ベルト
１３ａ  ベルトの連結具と長さ調整具
１４    背当てクッション
１５    面ファスナー
１６    壁掛け用の紐
２１    防護盾
２１ａ  防護盾の把持部
【図１】
2010121855.tif 000003
【図２】
2010121855.tif 000004
【図３】
2010121855.tif 000005
【図４】
2010121855.tif 000006
(57)【要約】【課題】従来のリモコン受信ＩＣは固定されているため、受信領域外付近からのリモコン操作では、受信しにくいという課題があった。【解決手段】リモコン１３操作時の人の位置を赤外線焦電センサー４が検出することで室内のどの位置でリモコンが操作されているかを判断し、空気調和機２の制御部１１が学習することで常時、リモコン操作されている方向に向かって受信ＩＣ７を向けることにより、リモコン受信不良を防止することができる。【選択図】図１
2010121811.tif 000002
【特許請求の範囲】
【請求項１】
空気調和機の室内機に取付けられ人の居場所を検知する赤外線焦電センサーと、リモコン受信基板と、前記リモコン受信基板の向きを変えることのできる駆動部を備えたことを特徴とする空気調和機。
【発明の詳細な説明】
【技術分野】
【０００１】
本発明は、赤外線焦電センサーを搭載し、リモコン操作する人の位置検出することで常時リモコン操作する方向に受信ＩＣ向けるようにすることができる空気調和機に関するものである。
【背景技術】
【０００２】
従来、この種の空気調和機は、リモコン受信ＩＣの取り付けられた基板が構造上固定されており、リモコン信号の入射してくる角度に関係なく一定の向きとなっている（例えば、特許文献１参照）。
【０００３】
図４は、特許文献１に記載された従来の室内１に設置された空気調和機２と空気調和機２に搭載された赤外線焦電センサーユニット３と赤外線焦電センサーユニット３内の赤外線焦電センサー４の検知領域５及び受信部６と受信部６にある受信ＩＣ７の受信領域８の構成図である。図５は赤外線焦電センサーユニット３と受信部６と制御部９との接続図である。図６は、受信部６の受信基板１０の取り付け構成図である。赤外線焦電センサー４からの信号と受信部６の受信ＩＣ７からの信号は、制御部に送られ制御回路１１で個別に処理され、空気調和機２を制御している。
【特許文献１】特開平７−２９３９７０号公報
【発明の開示】
【発明が解決しようとする課題】
【０００４】
しかしながら、前記従来の構成では、空気調和機２に取り付けられた受信基板１０は、受信基板取り付け台１２に固定されているため受信ＩＣ７をリモコン１３の操作方向に向けることができず、リモコン受信ＩＣ７の受信領域８から外れた領域からリモコン１３を操作されるとリモコン信号が受信しにくいという課題を有していた。
【０００５】
本発明は、前記従来の課題を解決するもので、リモコン受信ＩＣを常時リモコンを操作する方向に向けることで、リモコン受信をしやすくすることのできる空気調和機を提供することを目的とする。
【課題を解決するための手段】
【０００６】
前記従来の課題を解決するために、本発明の空気調和機は、赤外線焦電センサーにより人の居場所を検知することと、リモコンの受信信号を検出することを組み合わせることでリモコン操作を室内のどの領域からしているかを検出し、受信ＩＣ基板をリモコンの操作領域方向に向ける。
【０００７】
これによって、空気調和機の受信基板は、常時リモコンを操作している方向に向いていることでリモコン操作不良を防止することができる。
【発明の効果】
【０００８】
本発明の空気調和機は、赤外線焦電センサーによりリモコンの操作方向を検知することで受信ＩＣ基板の向きを変えリモコン信号を受信しやすくすることができる。
【発明を実施するための最良の形態】
【０００９】
本発明は、リモコン信号が受信基板に取り付けられた受信ＩＣで受信した時、赤外線焦電センサーにより人検知信号を検知し、リモコンを操作した位置を検出し、リモコン受信ＩＣをリモコンの操作方向に向けることができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における室内１に取り付けられた空気調和機２と空気調和機２に搭載されている赤外線焦電センサーユニット３と赤外線ユニット３内の赤外線焦電センサー４及び赤外線焦電センサー４の検出領域５とリモコン受信部６とリモコン受信部６内のリモコン受信ＩＣ７及びリモコン受信ＩＣ７の検出領域８の構成図を示す。
【００１２】
図２は、空気調和機２の赤外線焦電ユニット３と受信部６の制御基板９との接続構成図である。図３は、リモコン受信基板１０の取り付け構造図である。
【００１３】
空気調和機２に搭載されている赤外線焦電センサーユニット３は、ユニット内の赤外線焦電センサー４を有し、熱源の動きを検知することで熱源である人の活動位置を検出している。赤外線焦電センサー４が熱源である人の動きを検出すれば制御基板９の制御回路１１１に人検出の信号を送信し、室内１のどの位置にいるのかを検証している。
【００１４】
また、受信部６は、リモコン１３の操作信号をリモコン受信ＩＣ７が受信し、制御基板９内の制御回路１１に伝達する。リモコン１３の操作時には、人の動きが伴うため、制御回路１１にリモコン受信信号が入力された時、赤外線焦電センサー４からの信号が入力され、制御回路１１でリモコン１３を操作した部屋の位置を認識する。制御回路１１において、リモコン１３の操作位置を認識すれば、リモコン受信基板１０の向きを変えることのできる駆動部１４によりリモコン受信基板１０をリモコン１３の操作した方向に向ける。
【００１５】
制御基板９は、常にリモコン１３の操作信号が入力されるたびに赤外線焦電センサー４からの信号によりリモコン１３の操作した位置を記憶し、リモコン受信基板１０の向きを補正する。リモコン受信ＩＣ７は、リモコン１３を操作する領域を常に向いていることでリモコンの受信不良を防止することができる。
【産業上の利用可能性】
【００１６】
以上のように、本発明は、リモコンで操作する空気調和機以外に扇風機等の機器の用途にも適用できる。
【図面の簡単な説明】
【００１７】
【図１】本発明の実施の形態１におけるセンサーの検出エリア図
【図２】本発明の実施の形態１におけるセンサーの接続図
【図３】本発明の実施の形態１におけるリモコン受信基板の取り付け構造図
【図４】従来のセンサーの検出エリア図
【図５】従来のセンサーの接続図
【図６】従来のリモコン受信基板の取り付け構造図
【符号の説明】
【００１８】
１  室内
２  空気調和機
３  赤外線焦電センサーユニット
４  赤外線焦電センサー
５  赤外線焦電センサー検出領域
６  受信部
７  リモコン受信ＩＣ
８  リモコン受信ＩＣ受信領域
９  制御基板
１０  リモコン受信基板
１１  制御回路
１２  受信基板取り付け台
１３  リモコン
１４  駆動部
【図１】
2010121811.tif 000003
【図２】
2010121811.tif 000004
【図３】
2010121811.tif 000005
【図４】
2010121811.tif 000006
【図５】
2010121811.tif 000007
【図６】
2010121811.tif 000008
(57)【要約】【課題】  従来、固形石鹸は使用していく度に徐々に小さくなり、泡立ちも悪くなるため途中で新しい固形石鹸に取り替え、小さくなった固形石鹸は最後まで使いきることなく、粗末になり無駄が多かった。  又、小さくなると石鹸受けにこびり付いて頻繁に掃除をしないと非衛生的な状態になっていた。  そこで、小さくなった石鹸を再利用し、無駄なく繰り返し再使用できる固形石鹸を提供するものである。【解決手段】  固形石鹸表面に入り口となる開口部を設け、開口部より固体内部に中空域となる空間を設ける。  上記、開口部より、固体内部空間に小さくなった石鹸を押し込む事により新しい石鹸と古い石鹸とが一体化又同化し、再び一つの固体と成るものである。  又、内部に空間を設けずに、固体表面に凹部となる空間を設けても同様な状態となる。【選択図】図１
2010121100.tif 000002
【特許請求の範囲】
【請求項１】
固形石鹸において、固体表面に開口部（１）を設け、該開口部より固体内部に中空域（２）を設けたことを特徴とした繰り返し再使用できる固形石鹸。
【請求項２】
固形石鹸において、固体表面に凹部（３）を設けたことを特徴とした繰り返し再使用できる固形石鹸。
【発明の詳細な説明】
【技術分野】
【０００１】  本発明は、小さくなった固形石鹸を繰り返し再使用できる固形石鹸に関するものである。
【背景技術】
【０００２】  従来、固形石鹸は、古くより、多くの人に愛用されているが、一つの石鹸を最後まで使っていく使用環境は昔から変わっていない。
【特許文献１】
【非特許文献】
【発明の開示】
【発明が解決しようとする課題】
【０００３】  しかしながら、従来、次のような問題点があった。
固形石鹸は使用していく度に徐々に小さくなり、泡立ちも悪くなるため途中で新しい固形石鹸に取替えて、小さくなった固形石鹸は最後まで使いきることが出来なく、粗末になり無駄が多かった。
又、小さくなると石鹸受けにこびり付いて頻繁に掃除をしないと非衛生的な状態になっていた。
そこで、本発明は、これらの問題点を解決するために、小さくなった石鹸を再利用し、無駄なく繰り返し再使用できる固形石鹸を提供するものである。
【課題を解決しようとする手段】
【０００４】  本発明は、上記の課題を解消するために、固形石鹸表面に入り口となる開口部（１）を設け、かつ開口部（１）より固体内部に中空域（２）となる空間を設ける。
上記、開口部より、固体内部空間に小さくなった石鹸を押し込む事により新しい石鹸と古い石鹸が一体化又同化し、再び一つの固体と成るものである。
又、内部に空間を設けずに、固体表面に凹部（３）となる空間を設け、小さくなった石鹸を入れ込む事によっても同様な状態となる。
【発明の効果】
【０００５】  本発明によって、次のような効果が生じた。
１．小さくなった固形石鹸を、当該固形石鹸の内部に埋め込む事により無駄が生じなく再  使用ができる。
２．小さな固形石鹸は柔らかくなっており、内部に埋め込むと一体化又同化して、当該固  形石鹸と変わらない使用感で使用できる。
３．小さくなった固形石鹸は、形状、成分の違いがあっても同様に使用できる。
４．さらに、上記の固形石鹸が小さくなれば、新しい固形石鹸の内部に埋め込んで使う事  により繰り返し再使用し続けていける。
【発明を実施するための最良の形態】
【０００６】  本発明を実施するための最良の形態を図１、図２、図３、図４の実施例に基づいて説明する。
【実施例１】
【０００７】  図１．図２は本発明の第一実施例を示す図であって、その構造を説明する。
固形石鹸表面に、入り口となる開口部（１）を設け、該、開口部より固体内部に中空域（２）を設ける。
【実施例２】
【０００８】  図３、図４は本発明の第二実施例を示す図であって、第一実施例の開口部（１）と中空域（２）の代わりに、固形石鹸の表面に凹部（３）を設ける。【０００９】  本発明は、以上の様な構造で次のような作用をしている。
１．固形石鹸表面、開口部（１）より、内部、中空域（２）となる空間に小さくなった    固形石鹸を押し込むことにより、当該、固形石鹸と小さくなった古い固形石鹸が使用    していく程に内部で一体化、又同化し、再び一つの固体と成るものである。
２．固体表面に凹部（３）を設けた事に拠っても、上記小さくなった古い固形石鹸を入    れ込む事により同様な状態となる。【００１０】  尚、図示していないが、内部空間は、開口部（１）より、対面に貫通した形状でも構わない。【００１１】  又、開口部（１）及び凹部（３）は、複数個設けても構わない。
【図面の簡単な説明】
【００１２】
【図１】本発明の第一実施例を示す斜視図である。
【図２】図１のａ−ｂ線の断面図である。
【図３】本発明の第二実施例を示す斜視図である。
【図４】図３のｃ−ｄ線の断面図である。
【符号の説明】
【００１３】（１）開口部
（２）中空域
（３）凹部
【図１】
2010121100.tif 000003
【図２】
2010121100.tif 000004
【図３】
2010121100.tif 000005
【図４】
2010121100.tif 000006
(57)【要約】【課題】底部にオイル溜を有する密閉容器内に、電動機およびこの電動機と連結される圧縮機構部を収容し、上記圧縮機構部で圧縮したガスを一旦密閉容器内に吐出して容器内高圧とするロータリー式密閉型圧縮機において、圧縮室の部品間での摺動損失によって省エネ性が損なわれる原因となっていた。【解決手段】ベーン９の側壁部に窪み１４を設けてある。ベーン９はピストンに追従して往復運動を行い、上記側壁は上軸受けおよび下軸受けと接触する。上記ベーンにおいては、側壁の窪み１４によって接触面積を低減しており、摺動による損失を低減することができる。【選択図】図３
2010121448.tif 000002
【特許請求の範囲】
【請求項１】
底部にオイル溜を有する密閉容器内に電動機と圧縮機構部を備えた密閉型圧縮機において、上記圧縮機構部に用いられているベーンが、側壁に窪みを設置した形状であることを特徴とする密閉型圧縮機。
【請求項２】
塩素を含まないＨＣＦＣやＨＦＣ等を冷媒とした請求項１記載の密閉型圧縮機。
【請求項３】
二酸化炭素やアンモニア、ヘリウム等の自然冷媒を冷媒とした請求項１記載の密閉型圧縮機。
【請求項４】
ナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルを使用した請求項１記載の密閉型圧縮機。
【発明の詳細な説明】
【技術分野】
【０００１】
本発明は冷凍サイクルを構成する、ロータリー式密閉型回転式圧縮機に関し、特にそのベーンの形状に関するものである。
【背景技術】
【０００２】
一般的に、ロータリー式密閉型圧縮機の圧縮室はシリンダ、ベーン、上軸受け、下軸受け、ピストンで構成されているが、圧縮機の運転時にはこれらの部品が相互に接触し、摺動する。このとき発生する摺動損失は、圧縮機の効率を低下させる大きな要因のひとつであった。そのため、ベーン溝の加工方法等を工夫するなどして運転時の摺動損失を低減させる試みがなされていた（例えば、特許文献１参照）。
【特許文献１】特開平８−２６１１８５号公報
【発明の開示】
【発明が解決しようとする課題】
【０００３】
従来の方法では、加工方法を変えるために多数の設備が必要であり、期間、コスト的にも大きな負担がかかるものであった。
【０００４】
本発明は上記事情に基づきなされたものであり、その目的とするところは、ベーンの形状を変えることのみで、圧縮機の機能を損なうことなく上記不具合を解決し、より高効率で、信頼性の高い密閉型圧縮機を提供しようとするものである。
【課題を解決するための手段】
【０００５】
上記目的を満足するため、本発明の密閉型圧縮機には、側壁に窪みを設けたベーンを使用する。
【発明の効果】
【０００６】
本発明によれば、ベーン側壁部での摺動損失が低減できると共に、上記窪みに滞留した冷凍機油によって摺動面の潤滑性が向上するため、省エネ性及び信頼性に優れた圧縮機を提供することができる。
【発明を実施するための最良の形態】
【０００７】
（実施の形態１）
本発明における圧縮機の断面図を図１に示す。固定子１と回転子２から構成される電動機には回転軸３が取り付けられ、下部の圧縮機部４と接続されている。圧縮室はシリンダ５、上軸受け６、下軸受け７、ピストン８、ベーン９によって構成されており、上記回転軸３の偏心部１０に挿入されたピストン８が回転して圧縮運動を行う。圧縮機構部の断面を図２に示す。ピストン８に正接するように設置されたベーン９は、シリンダに設けられたベーン溝１１に挿入されており、回転軸３の回転運動に伴って偏心回転するピストンに追従して往復運動を行う。その作用により、吸入孔１２より圧縮室に流入した冷媒ガスは圧縮され、吐出孔１３より吐出される。
【０００８】
本発明におけるベーンの形状を図３に示す。ベーンの側壁部に窪み１４を設けてある。ベーン９はピストン８に追従して往復運動を行うため、上記側壁は上軸受け６および下軸受け７と接触する。上記ベーンにおいては、側壁の窪み１４によって接触面積を低減しており、摺動による損失を低減することができる。このことにより、省エネ性に優れた圧縮機を構成できる。また、圧縮機の運転中には、上記窪み１４には冷凍機油が滞留するため、軸受け端面との隙間には容易に油膜が形成できる。このことにより、ベーン９と上軸受け６および下軸受け７の端面間での異常磨耗や焼きつき等の不具合を解消でき、信頼性に優れた圧縮機を構成できる。
（実施の形態２）
また、近年オゾン層保護の観点から、塩素を含まないＨＦＣ冷媒を用いた圧縮機が開発されている。当機構を有した圧縮機をこのようなＨＦＣ冷媒に用いることも可能である。（実施の形態３）
また、近年地球温暖化防止の観点から二酸化炭素、ヘリウム、アンモニア等の自然冷媒を用いた圧縮機が開発されている。そのような自然冷媒を用いた圧縮機に当発明を適用することも可能である。
（実施の形態４）
通常圧縮機には、使用する冷媒や圧縮機構部４  に用いられる材質によって様々な種類のオイルが使用されている。当発明は、圧縮機で主に用いられているナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルなどにも適用することが可能である。
【産業上の利用可能性】
【０００９】
以上のように本発明に係るロータリー式密閉型圧縮機は、ベーン側壁部での摺動損失が低減できると共に、上記窪みに滞留した冷凍機油によって摺動面の潤滑性が向上するため、省エネ性及び信頼性に優れた圧縮機を提供することができるので、空気調和装置や除湿機、乾燥機などのヒートポンプ応用機器に適用することができる。
【図面の簡単な説明】
【００１０】
【図１】密閉型圧縮機の縦断面図
【図２】実施の形態１における圧縮室拡大図
【図３】実施の形態１におけるベーン拡大図
【符号の説明】
【００１１】
１  固定子
２  回転子
３  回転軸
４  圧縮機部
５  シリンダ
６  上軸受け
７  下軸受け
８  ピストン
９  ベーン
１０  偏心部
１１  ベーン溝
１２  吸入孔
１３  吐出孔
１４  ベーン側壁部窪み
【図１】
2010121448.tif 000003
【図２】
2010121448.tif 000004
【図３】
2010121448.tif 000005
(57)【要約】【課題】屋根に降った雨水を貯水する際、場所を取らず、見た目にも良く、いかに多くの雨水を貯める事が出来るかが課題であった。【解決手段】雨水を貯めるための貯水タンクをパイプの長さ、太さ、本数の組合せを変えて連結する。その際、貯水量を増やすためにパイプを組立て自在式にする。【選択図】図１
2010121430.tif 000002
【特許請求の範囲】
【請求項１】
パイプの長さや太さ、本数を変えたり組み合わせを変えることによって貯水量を変えることができるように中空状のパイプを複数個連結したことを特徴とする組立て自在のパイプ式雨水タンク。
【発明の詳細な説明】
【技術分野】
【０００１】この発明は屋根に降った雨水を貯水して有効利用することを目的とした雨水タンクに関する物。パイプの長さ、太さ、本数を使用目的により組み合わせを自由自在に変える事の出来る組立て自在パイプ式雨水タンクに関する物である。
【背景技術】
【０００２】
【特許文献１】
【特許文献２】
【非特許文献１】
【非特許文献２】
【発明の開示】
【発明が解決しようとする課題】従来、屋根に降った雨水を貯水しようとすると、雨水タンクが大きくなり、場所を取り、置く場所が限定されていた。
この発明は貯水タンクを構成するパイプの長さ、太さ、本数を使用目的により自由自在に変形させ、フェンスやフラワースタンドなど多目的に利用できる様にした。
設置場所も取らず、見た目にも良い組立て自在パイプ式雨水タンクを提供する事にある。
【課題を解決するための手段】パイプの長さや太さ、本数を変えたり組み合わせを変えることによって貯水量を変えることが出来るように中空状のパイプを複数個連結したことを特徴とする組立て自在のパイプ式雨水タンク。
【発明の効果】今まで捨てていた雨水を有効利用する事を目的とした内部中空状のパイプを長さ、太さ、本数を変えて連結する事により、フェンスやフラワースタンドを形成した雨水タンクに利用出来る。しかも設置場所や使用目的に合わせて組立てが簡単に出来る多目的利用雨水タンクを設置する事が出来る。
【発明を実施するための最良の形態】図１、図３は本発明組立て自在パイプ式雨水タンクの実施例である。
図１はフェンスの時の組立て自在パイプ式雨水タンクを表す。屋根から流れ落ちる雨水を雨樋（９）に取り付けた取水口（１０）より組立て自在パイプ式フェンスタンク内に雨水を流入させ貯水する事が出来る。
組立てを変えてフラワースタンド（図３）にした時も同じ様に貯水する事が出来る。
オーバーフロー用排水口（６）を設ける事でタンク内が満水になると雨水が押し出され、雨水が排水パイプ（７）から流れ出て入れ替わる。
水抜栓（４）を下部の必要な所に取り付ける事で、どこからでも取水や散水が出来る。
タンク内に雨水がなくなった時、必要に応じて水道水を使える様にするため上部に水道水取入れ口（８）を設ける。
パイプの外観を塗装する事で回りの景色に合わせた色柄が出来て美観にも良い。
フェンスが雨水タンクになり、ブロック塀や金網フェンスのかわりにもなる。また、現在あるブロック塀や金網フェンスに取付ける事も出来る。
フラワースタンドにする場合、図３では１段ですが、２段、３段と組合せを変える事で色々な形の物が出来る。
水抜栓（４）を下部の好きな所に取付けできる。
タンク内の雨水が空の時、水道水を補給出来る様、水道水注入口（８）を設ける。
フラワースタンドに上板（１３）をのせ、その上にフラワーポットを置く。
【実施例】本実施例はフェンスを形成する時のもので、パイプのタテの長さでフェンスの高さを、ヨコの長さでパイプの隙間を調整しながら、いくらでも継ぎ足していけば良い。フェンスの長さが長いほど貯水量が増大する。フェンスの取付けは土台にコンクリートを流したり、ブロックの土台を使って設置する。
フラワースタンドに形成する時、図３のパイプはタテ・ヨコの長さ、太さは同じですがパイプの太さを変える事で同じデザインでも貯水量を変える事が出来る。
パイプの形状は円形でも正方形などでも構わないが、パイプの内部がサビない物を使う。
【産業上の利用可能性】一時の雨水を大量に貯めようとするとタンク本体が大きくなり、設置場所が限られ美観も良くなかった。
今あるブロック塀や金網フェンスに取付けるとパイプの太さ最小でも５ｃｍ位の幅を取るだけで連結のしかたでいくらでも貯水することが出来る。
また新しくフェンスを作る場合でも連結のしかたで、いろんなデザインのフェンスが出来て貯水量も大量で、美観も良い。無機質なフェンスを貯水タンクにする事で機能性を持たせ地球環境にやさしいエコ商品に出来る。
フラワースタンドも今の使用条件でパイプ貯水タンクにすると場所も取らず現状のまま貯水することが出来、花の散水に便利である。
【図面の簡単な説明】
【図１】本発明組立て自在パイプ式雨水タンクのフェンスの時の正面図
【図２】本発明組立て自在パイプ式雨水タンクのフェンスの時の上面図
【図３】本発明組立て自在パイプ式雨水タンクのフラワースタンドの時の側面図
【図４】本発明組立て自在パイプ式雨水タンクのフラワースタンドの時の上面図
【符号の説明】
１．パイプ
２．Ｌ型ジョイント
３．Ｔ型ジョイント
４．水抜栓
５．流入口
６．オーバーフロー用排水口
７．オーバーフロー用排水パイプ
８．水道水注入口
９．雨樋
１０．取水口
１１．取水パイプ
１２．三又ジョイント
１３．上板
【図１】
2010121430.tif 000003
【図２】
2010121430.tif 000004
【図３】
2010121430.tif 000005
【図４】
2010121430.tif 000006